(57)【特許請求の範囲】
【請求項１】
表示パネルと、
上記表示パネルの信号線に結合された信号線駆動回路と、
上記表示パネルの走査線に結合された走査線駆動回路と、
上記信号線駆動回路に結合されたマイクロプロセッサユニットと
を有する表示装置であって、
上記信号線駆動回路は、第１抵抗と、第１抵抗分割回路と、第２抵抗と、複数の第２抵抗分割回路と、第３抵抗と、第３抵抗分割回路と、第４抵抗とが第１レベルの電圧と第２レベルの電圧との間に直列に結合された第１ラダー抵抗と、
前記第１抵抗分割回路から引き出された複数の線から１つの線を選択するための第１セレクタ回路と、
前記複数の第２抵抗分割回路の各々から引き出された複数の線から１つの線を各々選択するための複数の第２セレクタ回路と、
前記第３抵抗分割回路から引き出された複数の線から１つの線を選択するための第３セレクタ回路と、
前記第１セレクタ回路、前記複数の第２セレクタ回路及び前記第３セレクタ回路からの出力を所定の部分に受けるようにされ、前記第１抵抗と第１抵抗分割回路との間の電圧に従う第３レベルの電圧と前記第３抵抗分割回路と前記第４抵抗との間の電圧に従う第４レベルの電圧との間に結合された複数の抵抗を有する第２ラダー抵抗と、
前記第２ラダー抵抗から出力されたＮ個のレベル（Ｎは３以上）の電圧に基づいて、表示データに対応する階調電圧を出力する回路と、
前記マイクロプロセッサユニットから受信された前記第１抵抗及び前記第４抵抗の抵抗値を設定可能な第１レジスタと、
前記マイクロプロセッサユニットから受信された前記第２抵抗及び前記第３抵抗の抵抗値を設定可能な第２レジスタと、
前記マイクロプロセッサユニットから受信された前記第１セレクタ回路、前記複数の第２セレクタ回路及び前記第３セレクタ回路による選択位置を設定可能な第３レジスタと、
を備えたことを特徴とする表示装置。
【発明の詳細な説明】
【技術分野】
【０００１】
本発明は、表示データに応じた階調電圧を生成し、液晶パネルへ出力する液晶駆動装置及びその液晶駆動装置を備えた液晶表示装置に係り、特に、ガンマ特性の調整が可能な液晶駆動装置及びその液晶駆動装置を備えた液晶表示装置に関する。
【背景技術】
【０００２】
まず液晶パネルに表示データを高画質で表示させるためには液晶パネル個々の特性に応じて所望のガンマ特性を調整する必要がある。従来技術においてもこのガンマ特性を調整可能な液晶表示装置が開示されている。
【０００３】
まず一般的なガンマ特性について、図１を用いて説明する。図１において（ａ）は、液晶パネルのモードがノーマリーブラックモードである場合の印加電圧−輝度特性を示したものであり、低い印加電圧では低輝度、高い印加電圧では高輝度となる。特徴としては、低い印加電圧領域と高い印加電圧領域では印加電圧に対する輝度変化が鈍い（飽和）状態となることが挙げられる。
【０００４】
また上記ノーマリーブラックモードの液晶パネルの他にもノーマリーホワイトモードの液晶パネルがあるが、以下ノーマリーブラックモードの液晶パネルを対象とし、説明を行う。尚、本発明では上記液晶パネルのモードに関係なく実施できる。
【０００５】
次に図１（ｂ）は階調番号−輝度特性を示したものである。通常、この特性をガンマ特性と称されている。ここで、図１（ｂ）の１０１は階調番号の増加に対し、輝度がリニアに上昇する特性を示しており、この特性をγ＝１．０の特性と呼ぶ。ここでこのγ値は、下記（１）式の関係式により成り立つ。
【０００６】
（階調番号）γ＝輝度［ｃｄ／ｍ２］・・・（１）
上記（１）式より、図１（ｂ）の１０２、１０３はそれぞれγ＝２．２、γ＝３．０の特性を示したものである。ここで従来、液晶パネルに表示データを表示させた場合、その表示画像が人の目で最も高画質であると感じる特性は、一般に上記１０２のγ＝２．２の時である。
【０００７】
ここで液晶表示装置では、階調番号毎に印加電圧を調整することで、上記ガンマ特性の調整を行っている。図１（ｃ）は上記した階調番号−印加電圧の関係図であり、階調数を６４階調とした場合である。ここで図１で示した印加電圧−輝度特性は液晶パネル個々において異なり、例とし、上記γ＝２．２に印加電圧を合わせた場合、液晶パネル個々でその印加電圧の調整値は異なってくる。図１（ｃ）の１０４は上記γ＝２．２とした場合の階調番号−印加電圧の関係図である。１０５、１０６はそれぞれ１０４と異なった液晶パネルにおいて、γ＝２．２とした場合の階調番号−印加電圧の関係図である。このように液晶表示装置内にはこの印加電圧（以下、階調電圧と称す。）を液晶パネル個々の特性に合わせて所望のガンマ特性に調整できるような階調電圧生成回路が必要となる。
【０００８】
次に、上述したガンマ特性の調整が可能な液晶表示装置の一例として、特許文献１がある。
【０００９】
以下、図１７を用いて、特許文献１の動作について簡単に説明する。
【００１０】
図１７において、３０２は階調電圧生成回路であり、この階調電圧生成回路はガンマ調整用制御レジスタ３０１、また１７０１〜１７０９の可変抵抗によって構成されるラダー抵抗３０７、アンプ回路３１４、出力部ラダー抵抗３１５で構成されている。また３０３は階調電圧生成回路３０２で生成された階調電圧から表示データに応じた階調電圧をデコードするデコード回路である。ここで階調電圧生成回路３０２は、表示データに含まれた抵抗値設定データをガンマ補正用制御レジスタ３０１で検出し、その検出した抵抗値設定データにより、ラダー抵抗３０７の可変抵抗１７０１〜１７０９の抵抗値を設定する。ここでこのラダー抵抗３０７は、外部から供給される基準電圧３１６とＧＮＤ間を先のガンマ補正用制御レジスタ３０１で抵抗値設定された可変抵抗１７０１〜１７０９により抵抗分割し、６４階調電圧のうち１０点の階調電圧を生成する。このラダー抵抗３０７で生成された１０点の階調電圧は、後段のアンプ回路３１４でバッファリングされ、出力部ラダー抵抗３１５で先の１０点の階調電圧をさらに抵抗分割し、所望の６４階調電圧を生成する。次にこの６４階調電圧を３０３のデコード回路で表示データに合った階調電圧を選択する。
【００１１】
以上のように特許文献１は、液晶表示装置内に階調電圧生成回路３０２を具備し、この階調電圧生成回路３０２内部のラダー抵抗３０７を構成する９個の可変抵抗１７０１〜１７０９の抵抗値をガンマ補正用制御レジスタ３０１で設定することで、その抵抗分割比を変えることにより、ラダー抵抗３０７の基準電圧３１６とＧＮＤ間から生成される各階調電圧を変化させ、液晶パネル個々の特性における所望のガンマ特性に応じて各階調電圧を調整するものであった。
【特許文献１】特開２００１−１８１１０２号公報
【特許文献２】特開平１１−１７５０２７号公報
【発明の開示】
【発明が解決しようとする課題】
【００１２】
上記特許文献１では、６４階調電圧のうち図１（ｃ）に示す１０７、１０８といった階調番号の両端の電圧を固定としており、それぞれＧＮＤ又は外部から供給される基準電圧３１６としていた。この場合、ＧＮＤ固定としている階調電圧は調整不可能であり、また基準電圧３１６固定としている階調電圧は、その調整を行う場合、階調電圧生成部３０２の外部に別調整回路が必要となり、部品数増となる。ここで図１（ｃ）の１０４、１０５、１０６の関係といったように、液晶パネルの特性の相違により、階調番号の両端の電圧を調整しなければならないケースは生じ、上記従来技術ではこれらのケースについては考慮されていなかった。
【００１３】
上記問題を解決する手段として、特許文献２で記載されているアンプ回路３１４にオフセット調整（階調電圧の振幅電圧は一定とし、その特性をｙ軸方向にシフトさせる）機能を持たせ、階調番号の両端の電圧を調整する手段もあるが、この場合、アンプ回路３１４内部にオフセット調整回路が必要となり、そのため回路規模は大となり、コストも高くなる。  
【００１４】
また前記特許文献２では、ラダー抵抗３０７内に９個の可変抵抗１７０１〜１７０９を具備し、その全ての可変抵抗の抵抗値を、ガンマ補正用制御レジスタ３０１で設定し、所望のガンマ特性に調整する構成である。この構成の場合、１つの可変抵抗値を調整すると、全体の抵抗分割比が変化し、これに伴い、全ての階調電圧が変化する。従って、図１（ｃ）１０４〜１０６のような個々の特性に完全に一致するように階調電圧を調整するには多くの時間を要する。
【００１５】
本発明の目的は、高画質を実現する液晶駆動装置及び液晶表示装置を提供することにある。
【課題を解決するための手段】
【００１６】
上記課題であった液晶パネルの特性の相違に合わせ、階調番号の両端の電圧を調整可能とするため、本発明では、ラダー抵抗の両端部（外部から供給される基準電圧及びＧＮＤ間）にそれぞれ可変抵抗を設置し、その可変抵抗で抵抗分割された電圧から図１（ｃ）の１０７、１０８といった階調番号の両端の電圧を生成するようなラダー抵抗構成とした。また、上記可変抵抗の抵抗値をレジスタ（振幅調整レジスタと呼ぶ。）で設定可能とし、従来技術において、アンプ回路で行っていたオフセット調整についても、このラダー抵抗で調整可能とした。
【００１７】
ここで、本発明では上述に限らず、この他の階調電圧においてもレジスタ設定で階調電圧を調整できるラダー抵抗構成とした。その各調整内容について、図２を用いて説明する。図２（ａ）は、振幅調整レジスタにより、ラダー抵抗の両端部の可変抵抗値を設定した各場合の階調番号−階調電圧特性について示している。ここで２０１は、階調電圧の低い側の電圧値は変化させずに、高い側の電圧値を変化させ、階調電圧の振幅電圧を調整した場合であり、２０２は階調電圧の高い側の電圧値は変化させずに、低い側の電圧値を変化させ、階調電圧の振幅電圧を調整した場合の特性図である。２０１、２０２は上記ラダー抵抗の両端部の可変抵抗値を振幅調整レジスタで片側（基準電圧側又はＧＮＤ側）だけを設定した場合である。また２０３は上記ラダー抵抗の両端部の可変抵抗値を振幅調整レジスタで同時に設定した場合の特性図である。この場合、従来技術においてアンプ回路で行っていたオフセット調整と同様の作用が得られる。
【００１８】
次に図２（ｂ）の２０４は、階調番号−階調電圧特性の階調番号の中間（中間調）部の傾き特性を調整した場合の特性図である。この調整は傾き調整レジスタにより、ラダー抵抗内の傾き特性を決める階調電圧２０５、２０６を生成する可変抵抗の抵抗値を設定可能とすることで調整することができる。
【００１９】
以上、振幅調整レジスタ及び傾き調整レジスタで図１（ｃ）の１０４〜１０６といった各液晶パネルの特性に合わせた階調電圧を大まかに設定できる。これにより、各液晶パネルの特性に応じた所望のガンマ特性の調整が容易にでき、調整時間を短縮できる。
【００２０】
次に図２（ｃ）の２０７は、各階調電圧を微調整した場合の階調番号−階調電圧特性図である。この微調整は、上記可変抵抗で抵抗分割された各階調電圧間に、さらに抵抗分割を行うための抵抗分割回路を設値し、その抵抗分割により生成された各電圧値の中から所望の階調電圧を微調整レジスタの設定値により選択できる構成とすることにより、微調整可能とする。この構成により、上記課題であった１つの可変抵抗値を変化させた場合においても、この可変抵抗により抵抗分割された各階調電圧間をさらに細かく抵抗分割し、その中から所望の電圧値を選択することで、他階調電圧をあまり変化させず、所望の階調電圧のみ調整可能となる。また上記のように各階調電圧の微調整を可能とすることで、ガンマ特性の調整をより精度の高いものとし、高画質化が望める。
【００２１】
以上、ガンマ特性の調整において、振幅レジスタ、傾きレジスタの各設定で、液晶パネル個々の特性に応じた階調電圧の振幅電圧、及び中間調部の傾き特性といった大まか階調電圧を調整できるラダー抵抗構成とすることで、ガンマ特性の調整を容易とし、調整時間を短縮できるものとした。また微調整レジスタを具備することで、上記振幅レジスタ、傾きレジスタにて調整された階調電圧に対し、さらに微調整を行える構成とすることで、調整精度を高め、高画質化が望めるものとし、また調整範囲の自由度が増し、汎用性のあるものとした。
【発明の効果】
【００２２】
本発明によれば、表示装置のガンマ特性の調整精度が向上され、これにより、画質を向上するという効果を奏する。
【発明を実施するための最良の形態】
【００２３】
以下、本発明の実施形態を説明する。
【実施例１】
【００２４】
本発明の第１の実施形態による液晶表示装置の構成について、図３から図１０を用いて説明する。
【００２５】
図３は本発明の階調電圧生成回路の構成図である。３０１はガンマ特性を調整するための設定値を保持する制御レジスタ、３０２は階調電圧生成回路、３０３は表示データに合わせた階調電圧をデコードするデコード回路である。ここで制御レジスタ３０１は上記振幅調整レジスタ３０４、傾き調整レジスタ３０５、微調整レジスタ３０６を含んだ構成である。
【００２６】
また階調電圧生成回路３０２は、外部から供給される基準電圧３１６とＧＮＤ間から各階調電圧を生成するラダー抵抗３０７、このラダー抵抗３０７を構成する可変抵抗３２１〜３２４、及びその可変抵抗にて抵抗分割された電圧をさらに抵抗分割するための抵抗分割回路３２６〜３３１、この抵抗分割回路３２６〜３３１で生成された階調電圧を微調整レジスタ３０６の設定値により選択するセレクタ回路３０８〜３１３、その各セレクタ回路の出力電圧をバッファリングするアンプ回路３１４及び、そのアンプ回路３１４出力電圧を所望の階調数分（ここでは例とし、６４階調電圧）の階調電圧に抵抗分割する出力部ラダー抵抗３１５により構成される。
【００２７】
ここでラダー抵抗３０７の下側に設置されている下側可変抵抗３２１は、振幅調整レジスタ３０４の下側可変抵抗設定値３１７により、その抵抗値を設定できる構成とし、ラダー抵抗３０７の上側に設置されている上側可変抵抗３２２は、振幅調整レジスタ３０４の上側可変抵抗設定値３１８により、その抵抗値を設定できる構成とする。この両可変抵抗３２１，３２２により抵抗分割された電圧を階調番号の両端の階調電圧とし、階調電圧の振幅調整を振幅調整レジスタ３０４で設定できる構成とする。
【００２８】
またラダー抵抗３０７の中間部下段に設置されている中間部下側可変抵抗３２３は、傾き調整レジスタ３０５の中間部下側可変抵抗設定値３１９により、その抵抗値を設定できる構成とし、ラダー抵抗３０７中間部上側に設置されている中間部上側可変抵抗３２４は、傾き調整レジスタ３０５の中間部上側可変抵抗設定値３２０により、その抵抗値を設定できる構成とする。この両可変抵抗３２３，３２４により抵抗分割された電圧を中間調部の傾き特性を決めている階調番号の階調電圧とし、階調電圧の傾き特性を傾き調整レジスタ３０５で設定できる構成とする。
【００２９】
上述のようなラダー抵抗構成とし、振幅調整レジスタ３０４、傾き調整レジスタ３０５により、ラダー抵抗内の可変抵抗値を設定することで抵抗分割比を変化させ、階調電圧の振幅電圧、及び中間調部の傾き特性を調整可能とする（詳細作用については後に記述。）。
【００３０】
また、振幅調整レジスタ３０４、傾き調整レジスタ３０５でそれぞれ設定された可変抵抗値により生成された階調電圧間を、抵抗分割回路３２６〜３３１によりさらに細かく抵抗分割し、階調電圧を微調整するための微調整用階調電圧を生成する。次に、この微調整用階調電圧を各セレクタ回路３０８〜３１３で、微調整レジスタ３０６の設定値３２５により、所望の階調電圧を選択する。この構成により、各階調電圧を微調整可能とし、ガンマ特性の調整精度を高め、調整の自由度も向上する（詳細作用は後に記述）。
【００３１】
ここで、上述より生成される各階調電圧は後段のアンプ回路３１４でバッファリングされ、所望の６４階調の電圧を生成するため、出力部ラダー抵抗３１５で、その各階調電圧間を電圧関係がリニアとなるよう抵抗分割し、６４階調分の階調電圧を生成する。これにより階調電圧生成回路３０２で生成された６４階調の階調電圧は、デコード回路３０３で、表示データに合わせた階調電圧をデコードし、液晶パネルへの印加電圧となる。
【００３２】
以上のような回路構成により、ガンマ特性の調整において、振幅レジスタ３０４、傾きレジスタ３０５の設定で、階調電圧の振幅電圧、及び中間調部の傾き特性といった大まかな階調電圧を調整可能なラダー抵抗を含み、そのラダー抵抗にて生成された階調電圧間から微調整レジスタ３０６の設定でさらに各階調電圧の微調整を行える構成とすることで、ガンマ特性の調整を容易かつ、調整時間を短縮でき、調整の精度及び自由度を向上させることで高画質化かつ、汎用性が望める階調電圧生成回路を小回路規模、低コストで実現した。
【００３３】
次に、本実施形態で使用した図３の可変抵抗３２１〜３２４について、レジスタ設定値と可変抵抗の動作について、図４を用いて説明する。図４において、４０１は上記可変抵抗３２１〜３２４の内部構成を示したものである。ここでは、レジスタ（上記振幅調整レジスタ３０４、及び傾き調整レジスタ３０５）の設定値が１減少するごとに抵抗値が４Ｒ（Ｒ：単位抵抗値）増加するといった場合の可変抵抗の構成例である。ここで、４０２のようにレジスタ設定値が“１１１”［ＢＩＮ］という設定値であった場合、可変抵抗４０１内部の抵抗端に設置されたスイッチ４０３〜４０５はスイッチＯＮとなり、可変抵抗４０１内部は短絡状態となる。よってこの時の可変抵抗４０１のトータル抵抗値は０Ｒとなる。尚ここで、各スイッチ４０３〜４０５はレジスタのｂｉｔ毎に制御され、スイッチ４０３はレジスタ設定値の［２］ｂｉｔ目、スイッチ４０４はレジスタ設定値の［１］ｂｉｔ目、スイッチ４０５はレジスタ設定値の［０］ｂｉｔ目で、それぞれスイッチＯＮ、又はＯＦＦの制御をする。次に４０６のようにレジスタ設定値が“０００”［ＢＩＮ］という設定値であった場合、可変抵抗４０１内部の抵抗端に設置されたスイッチ４０３〜４０５はスイッチＯＦＦとなり、可変抵抗４０１のトータル抵抗値は内部抵抗値の総和となる、トータル抵抗値は２８Ｒとなる。ここで上記構成におけるレジスタ設定値と可変抵抗値との関係は４０７に示した関係となる。
【００３４】
尚、上記で示したレジスタ設定値と可変抵抗値との関係は一設定例であり、レジスタ設定値の各ｂｉｔを反転させた場合、上記レジスタ設定値と可変抵抗値との関係は逆になり、レジスタ設定値が増加すれば可変抵抗の抵抗値も増加するという関係となる。このようにレジスタ設定値と可変抵抗値との関係を逆にした場合でも構わない。またレジスタ設定値における可変抵抗値の変化割合を、１設定値毎に４Ｒとしているがこの値を小さくしたり、大きくしたりしても構わない。ここで、このレジスタ設定毎の抵抗値変化割合を小さくした場合、精度は向上するが調整範囲は狭くなり、逆に大きくした場合、調整範囲は広くなるが調整精度は悪化する。また、上記で使用した単位抵抗Ｒは数十ｋΩで構成することが望ましい（消費電流を少なくできる）。また上記レジスタ設定ｂｉｔ数は３ｂｉｔとしているがこの設定ｂｉｔ数を増加しても構わない。この場合、可変抵抗値の調整範囲は広くなるが回路規模は増加する。
【００３５】
以上の構成により、レジスタ設定で可変抵抗の抵抗値を変化させることが可能である。
【００３６】
次に図３の振幅調整レジスタ３０４とラダー抵抗３０７内の可変抵抗３２１、３２２によるガンマ特性の調整作用について、図５を用いて説明する。
【００３７】
図５（ａ）は、図３のラダー抵抗３０７の下側可変抵抗３２１を振幅調整レジスタ３０４で設定した場合の調整作用を示したものである。５０１は振幅調整レジスタ３０４がデフォルト設定とした場合の階調番号−階調電圧特性である。ここで、５０２のように階調電圧の高い側の電圧値は変化させずに、低い側の電圧値を変化させ、階調電圧の振幅電圧を小さく調整したい場合、振幅調整レジスタ３０４の設定を下側可変抵抗３２１の抵抗値が大となるように設定すれば良い。また５０３のように階調電圧の高い側の電圧値は変化させずに、低い側の電圧値を変化させ、階調電圧の振幅電圧を大きく調整したい場合、振幅調整レジスタ３０４の設定を下側可変抵抗３２１の抵抗値が小となるように設定すれば良い。
【００３８】
このように振幅調整レジスタ３０４の設定で下側可変抵抗３２１の抵抗値を変化させることにより、階調電圧の高い側の電圧値は変化させずに、低い側の電圧値を変化させ、階調電圧の振幅電圧を調整することが可能である。
【００３９】
次に同図５の（ｂ）は、図３のラダー抵抗３０７の上側可変抵抗３２２を振幅調整レジスタ３０４で設定した場合の調整作用を示したものである。５０１は上記同様、振幅調整レジスタ３０４がデフォルト設定とした場合の階調番号−階調電圧特性である。ここで、５０４のように階調電圧の低い側の電圧値は変化させずに、高い側の電圧値を変化させ、階調電圧の振幅電圧を小さく調整したい場合、振幅調整レジスタ３０４の設定を上側可変抵抗３２２の抵抗値が大となるように設定すれば良い。また５０５のように階調電圧の低い側の電圧値は変化させずに、高い側の電圧値を変化させ、階調電圧の振幅電圧を大きく調整したい場合、振幅調整レジスタ３０４の設定を上側可変抵抗３２２の抵抗値が小となるように設定すれば良い。
【００４０】
このように振幅調整レジスタ３０４の設定で上側可変抵抗３２２の抵抗値を変化させることにより、階調電圧の低い側の電圧値は変化させずに、高い側の電圧値を変化させ、階調電圧の振幅電圧を調整することが可能である。
【００４１】
次に同図５の（ｃ）は、上述した下側可変抵抗３２１、上側可変抵抗３２２を振幅調整レジスタ３０４で同時に設定した場合の調整作用を示したものである。５０１は上記同様、振幅調整レジスタ３０４がデフォルト設定とした場合の階調番号−階調電圧特性である。ここで、５０６のように階調番号−階調電圧特性、振幅電圧は５０１同様とし、上下の階調電圧値を高くしたい場合、振幅調整レジスタ３０４の設定を下側可変抵抗３２１の抵抗値を大、上側可変抵抗３２２の抵抗値を小に設定すれば良い。また５０７のように階調番号−階調電圧特性、振幅電圧は５０１同様とし、上下の階調電圧値を低くしたい場合、振幅調整レジスタ３０４の設定を下側可変抵抗３２１の抵抗値を小、上側可変抵抗３２２の抵抗値を大に設定すれば良い。
【００４２】
このように振幅調整レジスタ３０４の設定で下側及び上側可変抵抗３２１、３２２を同時に設定した場合、振幅調整レジスタ３０４のデフォルト設定とした場合の階調番号−階調電圧特性にオフセット調整した特性となる。
【００４３】
以上のことにより、図３の振幅調整レジスタ３０４により、液晶パネル個々の特性に合わせた階調電圧の振幅電圧を調整できる。
【００４４】
次に図３の傾き調整レジスタ３０５とラダー抵抗３０７内の可変抵抗３２３、３２４によるガンマ特性の調整作用について、図６を用いて説明する。
【００４５】
図６（ａ）は、図３のラダー抵抗３０７の中間部下側可変抵抗３２３を傾き調整レジスタ３０５で設定した場合の調整作用を示したものである。６０１は傾き調整レジスタ３０５がデフォルト設定とした場合の階調番号−階調電圧特性である。ここで、６０２のように階調電圧の高い側の傾き特性は変化させずに、階調電圧の低い側の電圧値を変化させ、階調電圧の中間調部の傾きが小になるように調整したい場合、傾き調整レジスタ３０５の設定を中間部下側可変抵抗３２３の抵抗値が大となるように設定すれば良い。
【００４６】
また６０３のように階調電圧の高い側の傾き特性は変化させずに、階調電圧の低い側の電圧値を変化させ、階調電圧の中間調部の傾きが大になるように調整したい場合、傾き調整レジスタ３０５の設定を中間部下側可変抵抗３２３の抵抗値が小となるように設定すれば良い。
【００４７】
このように傾き調整レジスタ３０５の設定で中間部下側可変抵抗３２３の抵抗値を変化させることにより、階調電圧の高い側の傾き特性は変化させずに、階調電圧の低い側の電圧値を変化させ、階調電圧の中間調部の傾きを調整することが可能である。
【００４８】
次に同図６の（ｂ）は、図３のラダー抵抗３０７の中間部上側可変抵抗３２４を傾き調整レジスタ３０５で設定した場合の調整作用を示したものである。６０１は上記同様、傾き調整レジスタ３０５がデフォルト設定とした場合の階調番号−階調電圧特性である。ここで、６０４のように階調電圧の低い側の傾き特性は変化させずに、階調電圧の高い側の電圧値を変化させ、階調電圧の中間調部の傾きが小になるように調整したい場合、傾き調整レジスタ３０５の設定を中間部上側可変抵抗３２４の抵抗値が大となるように設定すれば良い。また６０５のように階調電圧の低い側の傾き特性は変化させずに、階調電圧の高い側の電圧値を変化させ、階調電圧の中間調部の傾きが大になるように調整したい場合、傾き調整レジスタ３０５の設定を中間部上側可変抵抗３２４の抵抗値が小となるように設定すれば良い。
【００４９】
このように傾き調整レジスタ３０５の設定で中間部上側可変抵抗３２４の抵抗値を変化させることにより、階調電圧の高い側の電圧値を変化させ、階調電圧の中間調部の傾きを調整することが可能である。
【００５０】
次に同図６の（ｃ）は、上述した中間部下側可変抵抗３２３、中間部上側可変抵抗３２４を傾き調整レジスタ３０５で同時に設定した場合の調整作用を示したものである。６０１は上記同様、傾き調整レジスタ３０５がデフォルト設定とした場合の階調番号−階調電圧特性である。ここで、６０６のように傾き特性は６０１同様とし、この傾き特性を決める階調電圧６０８の階調電圧値を高くしたい場合、傾き調整レジスタ３０５の設定を中間部下側可変抵抗３２３の抵抗値を大、中間部上側可変抵抗３２４の抵抗値を小に設定すれば良い。また６０７のように傾き特性は６０１同様とし、この傾き特性を決める階調電圧６０８の階調電圧値を低くしたい場合、傾き調整レジスタ３０５の設定を中間部下側可変抵抗３２３の抵抗値を小、中間部上側可変抵抗３２４の抵抗値を大に設定すれば良い。
【００５１】
このように傾き調整レジスタ３０５の設定で中間部下側及び中間部上側可変抵抗３２３、３２４を同時に設定した場合、傾き調整レジスタ３０５のデフォルト設定とした場合の階調番号−階調電圧特性の傾き特性は同様とし、この傾き特性を決める階調電圧６０８の階調電圧値を調整した特性となる。
【００５２】
以上のことにより、図３の傾き調整レジスタ３０５により、液晶パネル個々の特性に合わせた階調電圧の振幅電圧は変えず、中間調部の傾き特性のみを調整できる。
【００５３】
次に本実施形態で使用した図３のセレクタ回路３０８〜３１３について、微調整レジスタ３０６の設定値とセレクタ回路３０８〜３１３との関係を図７を用いて説明する。
【００５４】
図７において、７０１は上記セレクタ回路３０８〜３１３の内部構成を示したものである。ここで７０２は、図３のラダー抵抗３０７内の抵抗分割回路３２６〜３３１の内部構成を示したものであり、ここでは例として、抵抗値１Ｒで抵抗分割し、８つの微調整用階調電圧Ａ〜Ｈを生成する場合の構成を示している。セレクタ回路７０１は、この抵抗分割回路７０２で生成された各微調整用階調電圧Ａ〜Ｈのうち１階調電圧を微調整レジスタ３０６の設定値７０３により、選択する。
【００５５】
上記セレクタ回路７０１は２ｔｏ１（２入力１出力）セレクタ回路で構成されており、レジスタ設定値７０３の［０］ｂｉｔ目で１段目のセレクタ回路群７０４の出力を選択し、［１］ｂｉｔ目で２段目のセレクタ回路群７０５の出力を選択し、［２］ｂｉｔ目で３段目のセレクタ回路７０６の出力を選択する。
【００５６】
ここでレジスタ設定値７０３が“０００”［ＢＩＮ］と設定した場合、セレクタ回路７０１は抵抗分割回路７０２で分圧された微調整用階調電圧Ａを出力する。次にレジスタ設定値７０３が“１１１”［ＢＩＮ］と設定した場合、セレクタ回路７０１は抵抗分割回路７０２で分圧された微調整用階調電圧Ｈを出力する。このようにセレクタ回路７０１は、微調整レジスタ３０６のレジスタ設定値７０３が１増加するごとに、抵抗分割回路７０２で分圧された微調整用階調電圧をＡからＨへと順々に選択する。このレジスタ設定値７０３とセレクタ回路７０１で選択される微調整用階調電圧Ａ〜Ｈとの関係を７０７に示す。
【００５７】
尚、上記で示したレジスタ設定値とセレクタ回路との関係は一設定例であり、レジスタ設定値の各ｂｉｔを反転させた場合、上記レジスタ設定値とセレクタ回路との関係は逆になり、レジスタ設定値が増加すればセレクタ回路は微調整用階調電圧ＨからＡへと順々に選択する。このようにレジスタ設定値と可変抵抗値との関係を逆にした場合でも構わない。
【００５８】
また、上記セレクタ回路はレジスタ設定ｂｉｔ数は３ｂｉｔとし、８つの微調整用階調電圧から１階調電圧を選択するものであるが、この設定ｂｉｔ数を増加して、選択できる階調数を増やしても構わない。この場合、階調電圧の微調整範囲は広くなるが回路規模は増加する。また抵抗分割回路内部の抵抗値を１Ｒとしているがこの値を小さくしたり、大きくしたりしても構わない。この抵抗分割回路内部の抵抗値を小さくした場合、微調整範囲は狭くなるが調整精度は向上する。また抵抗分割回路内部の抵抗値を大きくした場合、微調整範囲は広くなるが調整精度は悪化する。また、図４の可変抵抗構成と同様、単位抵抗Ｒは数十ｋΩで構成することが望ましい（消費電流を少なくできる）。
【００５９】
次に図３の微調整レジスタ３０６とセレクタ回路３０８〜３１３によるガンマ特性の調整作用について、図８を用いて説明する。
【００６０】
図８において、８０１は微調整レジスタ３０６がデフォルト設定とした場合の階調番号−階調電圧特性である。また８０２は微調整レジスタ３０６の設定値をセレクタ回路３０８〜３１３で選択される電圧値が最大となるよう設定した場合の特性図である。８０３は微調整レジスタ３０６の設定値をセレクタ回路３０８〜３１３で選択される電圧値が最小となるよう設定した場合の特性図である。よって、上記８０２と８０３の間の電圧が微調整レジスタ３０６で設定できる微調整可能な階調電圧範囲である。ここで８０４〜８０９はセレクタ回路３０８〜３１３の出力（微調整可能な階調電圧）を示しておりそれぞれ、上記８０２と８０３の間の階調電圧範囲内で微調整可能である。
【００６１】
以上のように図３の微調整レジスタ３０６の設定により、ラダー抵抗３０７内の抵抗分割回路３２６〜３３１で生成された各微調整用階調電圧から１階調電圧を選択し、微調整可能とする。これにより、液晶パネル個々の特性に合わせた階調電圧の微調整可能とし、調整精度を向上することで高画質化が望める。
【００６２】
上述で説明した振幅、傾き、微調整の３種類の調整レジスタを用いて、ガンマ特性を調整できる階調電圧生成回路を信号線駆動回路内に組み込んだ場合の液晶表示装置システム構成例を図９に示す。ここで図中の９００は本発明の液晶表示装置であり、９０１は液晶パネルであり、９０２は液晶パネル９０１の信号線に表示データに対応した階調電圧を出力する図３の階調電圧生成回路３０２を含んだ信号線駆動回路であり、９０３は液晶パネル９０１の走査ラインを走査する走査線駆動回路であり、９０４は上記信号線駆動回路９０２、走査線駆動回路９０３の動作電源を供給するシステム電源生成回路である。ここで、このシステム電源生成回路９０４から信号線駆動回路９０２に供給される電源電圧９０５内に図３の基準電圧３１６が含まれる。次に、９０６は液晶パネル９０１に画像を表示させるための各種制御及び各種処理を行うＭＰＵ（マイクロプロセッサユニット）であり、信号線駆動回路９０２は、このＭＰＵ９０６との表示データ並びに制御レジスタのデータのやりとりを行うシステムインターフェース９０７、システムインターフェース９０７より出力される表示データ９０８を一時保存しておくための表示メモリ９０９、及び図３で示した制御レジスタ３０１、階調電圧生成回路３０２、デコード回路３０３で構成される。尚、制御レジスタ３０１内部は図３でも示した振幅調整レジスタ３０４、傾き調整レジスタ３０５、微調整レジスタ３０６を含む。
【００６３】
上記ＭＰＵ９０６は、例えば汎用ＭＰＵである６８系１６ｂｉｔのバスインタフェースに準拠しており、チップ選択を示すＣＳ（ｃｈｉｐ  Ｓｅｌｅｃｔ）信号、制御レジスタ３０１のアドレスを指定するのかデータを指定するのかを選択するＲＳ（Ｒｅｇｉｓｔｅｒ  Ｓｅｌｅｃｔ）信号、処理動作の起動を指示するＥ（Ｅｎａｂｌｅ）信号、データの書込みまたは読出しを選択するＲ/Ｗ（Ｒｅａｄ／Ｗｒｉｔｅ）信号、制御レジスタ３０１のアドレスまたはデータの実際の設定値である１６ｂｉｔのＤａｔａ信号で構成される。これらの制御信号により、制御レジスタ３０１の各アドレスに対し、振幅調整レジスタ３０４、傾き調整レジスタ３０５、微調整レジスタ３０６のレジスタ設定値が割振られ、制御レジスタ３０１のレジスタ内に設定データを各割り当てられたアドレスごと書き込み、又は読み出し動作を行う。
【００６４】
次に図１０を用いてこのＭＰＵ９０６と信号線駆動回路９０２内部のインターフェース９０７間における各制御信号の動作について説明する。  まず、ＣＳ信号を“ロー”とし、制御レジスタ３０１をアクセス可能状態とする。ＲＳ信号を“ロー”時にはアドレス指定期間を意味し、ＲＳ信号“ハイ”時にはデータ指定期間を意味する。ここで制御レジスタ３０１への書き込み動作を行う場合、Ｒ／Ｗ信号を“ロー”とし、先のアドレス指定期間にＤａｔａ信号に所定のアドレス値を設定し、データ指定期間にそのアドレスのレジスタに書き込むデータ（上述での振幅調整レジスタ３０４、傾き調整レジスタ３０５、微調整レジスタ３０６のレジスタ設定値等々）を設定する。その設定後Ｅ信号を一定期間“ハイ”にすることで制御レジスタ３０１にデータを書き込む。
【００６５】
また制御レジスタ３０１に設定されたデータを読み出す際には、上記と同様にＣＳ、ＲＳ信号を設定し、Ｒ／Ｗ信号を“ハイ”とし、アドレス期間に所定のアドレスを設定し、上記同様、設定後Ｅ信号を一定期間“ハイ”とすることで、データ指定期間にレジスタ内に書き込まれたデータが読み出される。
【００６６】
以上、制御レジスタ３０１のレジスタ内の各割り当てられたアドレスに振幅調整レジスタ３０４、傾き調整レジスタ３０５、微調整レジスタ３０６のレジスタ設定値を書き込み動作を行うことで、上述したガンマ特性の調整において、上記各レジスタによる階調電圧の振幅電圧調整、中間調部の傾き特性調整、微調整が可能となり、ガンマ特性の調整が容易となり、また液晶パネル個々の特性に合わせた階調電圧を設定可能とする。
【実施例２】
【００６７】
次に、本発明の第２の実施形態による液晶表示装置の構成について説明する。
【００６８】
まず、一般的に液晶パネルに階調電圧を印加する場合には、ある一定周期の交流信号（以下Ｍと称す。）で階調電圧を反転させて、液晶パネルを交流化駆動しなければならない。
【００６９】
ここで液晶パネルの階調番号−階調電圧特性も、上記Ｍの極性ごとで異なり、そのＭの極性ごとに、所望のガンマ特性に調整しなければならないケースがある。ここで図１１に液晶パネルの交流化における階調番号−階調電圧特性の変化について示す。１１０１は、正極性（Ｍの極性がＭ＝０）時の階調番号−階調電圧特性である。ここで液晶パネルがノーマリーブラックモードの場合、階調番号が大きくなるにつれ、階調電圧は高くなるという特性を示している。１１０２は、負極性（Ｍの極性がＭ＝１）時の階調番号−階調電圧特性である。ここで階調番号が大きくなるにつれ、階調電圧は低くなるという特性を示している。ここで１１０１と１１０２は、センタライン１１０３を軸とし対称の関係となっている。このように正極性、あるいは負極性の階調番号−階調電圧特性が対称の関係であれば、前記した第１の実施形態による図３の階調電圧生成回路構成において、６４階調電圧の出力関係を反転（６４階調目の階調電圧を１階調目の階調電圧とし、１階調目の階調電圧を６４階調目の階調電圧と階調電圧と階調番号の関係を反転）すれば、正／負両極性においてガンマ特性の調整を行う必要は無い。しかし、液晶パネルによっては１１０４のような正／負極性で異なった階調番号−階調電圧特性となるケースがある。この場合、図３の第１の実施形態による階調電圧生成回路構成では、所望のガンマ特性に調整するため、正／負極性の特性に応じ随時レジスタ設定を行わなければならない。そこで上記問題を解決するため、本第２の実施形態では、第１の実施形態同様の作用があるラダー抵抗を正極性用、負極性用に独立して具備し、ガンマ特性の調整を正／負両極性で行える構成とした。
【００７０】
本発明の第２の実施形態による液晶表示装置の構成について図１２を用いて説明する。
【００７１】
図１２は、前記第１の実施形態における図３の階調電圧生成回路３０２の内部構成のみを変更したものである。尚、制御レジスタ３０１やデコード回路３０３の構成及び動作については第１の実施形態と同様である。ここで図１２の階調電圧生成回路３０２は、第１の実施形態における図３のラダー抵抗３０７を正極性用ラダー抵抗１２０２、及び負極性用ラダー抵抗１２０３と正／負極性毎に独立して２本具備した構成としている。
【００７２】
尚、この正／負極性用ラダー抵抗１２０２、１２０３は、第１の実施形態同様の作用を振幅調整レジスタ３０４、傾き調整レジスタ３０５のレジスタ設定により行える構成とする。
【００７３】
ここで、この正／負両極性用ラダー抵抗１２０２、１２０３は、上記調整レジスタ３０４、３０５の設定値を共用し、その設定値により第１の実施形態同様に階調電圧の振幅電圧の調整、及び特性傾きの調整を正／負極性毎に行える構成とする。ここで、正極性用ラダー抵抗１２０２内部の抵抗値設定と負極性用ラダー抵抗１２０３内部抵抗値設定は上記調整レジスタ３０４、３０５の同設定で正極性、負極性で異なった階調電圧調整が行えるように異なった抵抗値設定とする。
【００７４】
また上記のように正／負極性用ラダー抵抗１２０２、１２０３を２本具備することにより、図３におけるセレクタ回路３０８〜３１３も正極性用セレクタ回路１２０４と負極性用セレクタ回路１２０５の２種類必要となる。ここで、正／負両極性用セレクタ回路１２０４、１２０５は、第１の実施形態である図３のセレクタ回路３０８〜３１３と同構成とし、微調整レジスタ３０６設定により、第１の実施形態と同作用の微調整を可能とする。
【００７５】
上記のような構成とし、Ｍ信号にて選択する極性セレクタ回路１２０１、１２０６により、正／負極性用ラダー抵抗１２０２、１２０３及び正／負極性用セレクタ回路１２０４、１２０５出力をＭの極性により選択する。尚、上記極性セレクタ１２０１、１２０６はＭ＝０時には正極性用ラダー抵抗１２０２、及び正極性用セレクタ回路１２０４出力を選択し、Ｍ＝１時には負極性用ラダー抵抗１２０３、及び負極性用セレクタ回路１２０５出力を選択する。
【００７６】
以上のような階調電圧生成回路構成とし、第１の実施形態における図９同様の液晶表示装置システムに組み込むことで、正／負両極性のガンマ特性を独立して調整できる液晶表示装置を実現した。尚、各調整レジスタ３０４〜３０６の設定値は、第１の実施形態と同様に図１０の制御信号により、制御レジスタ３０１内のアドレスにそれぞれ割り当て、各レジスタ設定値の書き込み動作を行うこととする。
【実施例３】
【００７７】
次に第３の実施形態による階調電圧生成回路構成を図１３に示す。ここで本実施形態は、上述第２の実施形態で２本構成としていたラダー抵抗を１本構成とし、第１の実施形態における振幅、傾き、微調整レジスタといった各調整レジスタを正／負極性独立させ具備し、正／負両極性のガンマ特性を独立して調整できるようにしたものである。ここで図１３は図３の第１の実施形態である階調電圧生成回路において、制御レジスタ３０１の内部構成のみを変更したものである。よって階調生成回路３０２やデコード回路３０３などの構成及び動作については前述第１の実施形態と同様である。ここで図１３の制御レジスタ３０１の内部について、１３０１は正極性用振幅調整レジスタ、１３０２は負極性用振幅調整レジスタ、１３０３は正極性用傾き調整レジスタ、１３０４は負極性用傾き調整レジスタ、１３０５は正極性用微調整レジスタ、１３０６は負極性用微調整レジスタであり、それぞれ正／負両極性で独立して設定できるものとする。これら調整レジスタ１３０１〜１３０６はＭ信号により選択するセレクタ回路１３０７〜１３０９により、正／負極性に応じたレジスタ１３０１〜１３０６の設定値を選択する。ここでこのセレクタ回路１３０７〜１３０９は、Ｍ＝０時には正極性用レジスタ１３０１、１３０３、１３０５の設定値を選択し、Ｍ＝１時には負極性用レジスタ１３０２、１３０４、１３０６の設定値をそれぞれ選択する。ここで正／負極性用振幅調整レジスタ１３０１、１３０２は図５で示した第１の実施形態による振幅調整レジスタと同等の作用が得られ、正／負極性用傾き調整レジスタ１３０３、１３０４は図６で示した傾き調整レジスタと同等の作用が得られ、正／負極性用微調整レジスタ１３０５、１３０６は図８で示した微調整レジスタと同等の作用が得られる。
【００７８】
よって上述した正／負極性用調整レジスタ１３０１〜１３０６により、正／負極性において、第１の実施形態と同様作用が得られることにより、液晶パネル個々の特性に合った階調電圧、及びガンマ特性の調整を、正／負両極性とも独立に調整できる構成とした。
【００７９】
以上のような制御レジスタ３０１構成を図１４の液晶表示装置システムに組み込むことで、第２の実施形態よりも小回路規模で正／負両極性のガンマ特性を独立して調整できる液晶表示装置を実現した。尚、正／負極性用調整レジスタ１３０１〜１３０６の設定値は、図１０と同様の制御信号により、制御レジスタ３０１内のアドレスに正／負極性用調整レジスタ１３０１〜１３０６をそれぞれ割り当て、各レジスタ設定値の書き込み動作を行うこととする。
【実施例４】
【００８０】
次に、本発明の第４の実施形態による液晶表示装置の構成について説明する。
【００８１】
液晶パネルはその使用用途によって、バックライトを当てて画像を表示させる場合があり、この場合このバックライトＯＮ、又はＯＦＦにより液晶パネルの階調番号−階調電圧特性が変化するケースもあり、ガンマ特性の調整も行う必要がある。本実施形態では、上述のようなバックライトＯＮ／ＯＦＦ時におけるガンマ特性の調整方法について、図１５を用いて説明する。
【００８２】
図１５は図９の第１の実施形態における液晶表示装置システム構成図において、ＭＰＵ９０６及び信号線駆動回路９０２内の制御レジスタ３０１内部を変更したものであり、他ブロックの構成、及び動作については第１の実施形態同様である。但し、液晶パネル９０１は上述のバックライト回路を含むものとする。ここで、ＭＰＵ９０６内部には上記バックライトＯＮ／ＯＦＦを判別するバックライトＯＮ／ＯＦＦ判別手段１４０１を設け、制御レジスタ３０１には、前記第１の実施形態と同様の作用を持つ、振幅調整レジスタ３０４、傾き調整レジスタ３０５、微調整レジスタ３０５を含んだバックライトＯＮ時のレジスタ１４０２と上記同レジスタを含む、バックライトＯＦＦ時レジスタ１４０３とを独立して具備する。ここで先のバックライトＯＮ／ＯＦＦ判別手段１４０１から出力されるバックライトＯＮあるいはバックライトＯＦＦ状態を示す判別信号１４０４により、上記バックライトＯＮ時レジスタ１４０２とバックライトＯＦＦ時レジスタ１４０３の設定値をセレクタ回路１４０５で選択し、このセレクタ回路１４０５で選択されたレジスタ設定値を第１の実施形態と同構成である階調電圧生成回路３０２内で使用する。
【００８３】
以上のように制御レジスタ３０１内に第１の実施形態と同様の作用を持つ振幅、傾き、微調整レジスタをバックライトＯＮ時、及びバックライトＯＦＦ時用に２種類具備する構成とすることにより、バックライトＯＮ／ＯＦＦによる液晶パネル個々の特性におけるガンマ特性の調整についても、個別に調整でき、高画質化が望める液晶表示装置を実現した。尚、バックライトＯＮ時のレジスタ１４０２、及びバックライトＯＦＦ時レジスタ１４０３の設定値は、第１の実施形態と同様に図１０の制御信号により、制御レジスタ３０１内のアドレスにそれぞれ割り当て、各レジスタ設定値の書き込み動作を行うこととする。
【実施例５】
【００８４】
次に、本発明の第５の実施形態による液晶表示装置の構成について説明する。
【００８５】
本実施形態は、液晶パネルの表示色である赤、緑、青（以下Ｒ、Ｇ、Ｂと称す。）ごとにガンマ特性を個別に調整できるようにしたものであり、その構成について図１６を用いて説明する。
【００８６】
図１６は第４の実施形態の図１５同様、図９の第１の実施形態における液晶表示装置システム構成図において、制御レジスタ３０１の内部構成のみを変更したものであり、他ブロックの構成、及び動作については第１の実施形態同様である。ここで上記Ｒ、Ｇ、Ｂのガンマ特性を個別に調整するため、制御レジスタ３０１内に、Ｒ用調整レジスタ１６０１、Ｇ用調整レジスタ１６０２、Ｂ用調整レジスタ１６０３を独立して具備する構成とした。ここで上記調整レジスタ１６０１〜１６０２はいずれも、第１実施形態と同様の作用が得られる振幅調整レジスタ３０４、傾き調整レジスタ３０５、微調整レジスタ３０６を含む。
【００８７】
以上のように、制御レジスタ３０１内に第１の実施形態と同様の作用を持つ振幅、傾き、微調整レジスタを含む、Ｒ用、Ｇ用、Ｂ用調整レジスタ１６０１〜１６０３といった液晶パネルの表示色毎に独立してレジスタ具備する構成とすることにより、液晶パネルの表示色Ｒ、Ｇ、Ｂ各色のガンマ特性を個別で調整可能とし、より高画質化が望める液晶表示装置を実現した。尚、Ｒ用、Ｇ用、Ｂ用調整レジスタ１６０１〜１６０３の設定値は、第１の実施形態と同様に図１０の制御信号により、制御レジスタ３０１内のアドレスにそれぞれ割り当て、各レジスタ設定値の書き込み動作を行うこととする。
【００８８】
本発明は以上に示した実施形態に限定されるものでは無く、種々の変更が可能である。例えば、上述では、液晶パネルのモードをノーマリーブラックモードを前提として説明を行ったが、本発明は上記液晶パネルのモードに関係なく実施できる。また階調数を６４階調を前提として説明を行ったが、本発明は他階調数に関係なく実施可能である。
【００８９】
上記本発明の第１〜第５の実施形態によれば、ガンマ特性の調整において、振幅調整レジスタ、傾き調整レジスタを具備し、そのレジスタ設定により、液晶パネル個々の特性に応じた階調電圧の振幅電圧、及び中間調部の傾き特性といった大まか階調電圧を調整可能なラダー抵抗構成を具備することで、ガンマ特性の調整を容易とし、調整時間を短縮できる。また上記各調整をラダー抵抗で行えることすることで小回路規模、かつ、低コストの効果がある。
【００９０】
また、振幅レジスタ、傾きレジスタに加え、微調整レジスタを具備することで、上記レジスタにて調整された階調電圧に対し、さらに微調整を行える構成とすることにより、調整精度を高め、高画質化が望める効果がある。
【００９１】
また、上記本発明の第１〜第５の実施形態によれば、液晶パネル個々の特性に合わせたガンマ特性の調整が可能になるので、汎用性のある回路構成が構築できる効果がある。
【図面の簡単な説明】
【００９２】
【図１】代表的な液晶パネルのガンマ特性図である。
【図２】本発明のガンマ特性の調整内容を示す図である。
【図３】本発明の第１実施形態による階調電圧生成回路構成図である。
【図４】本発明の実施形態に使用した可変抵抗構成図である。
【図５】本発明の振幅調整レジスタ設定によるガンマ特性の調整作用を示す図である。
【図６】本発明の傾き調整レジスタ設定によるガンマ特性の調整作用を示す図である。
【図７】本発明の実施形態に使用したセレクタ回路構成図である。
【図８】本発明の微調整レジスタ設定によるガンマ特性の調整作用を示す図である。
【図９】本発明の第１実施形態による液晶表示装置のシステム構成図である。
【図１０】本発明のレジスタ設定フロー図である。
【図１１】液晶パネルの非対称ガンマ特性図である。
【図１２】本発明の第２実施形態による階調電圧生成回路構成図である。
【図１３】本発明の第３実施形態による階調電圧生成回路構成図である。
【図１４】本発明の第３実施形態による液晶表示装置のシステム構成図である。
【図１５】本発明の第４実施形態による液晶表示装置のシステム構成図である。
【図１６】本発明の第５実施形態による液晶表示装置のシステム構成図である。
【図１７】従来技術のガンマ調整回路概略図である。
【符号の説明】
【００９３】
３０１…制御レジスタ、３０２…階調電圧生成回路、３０３…デコード回路、３０４…振幅調整レジスタ、３０５…傾き調整レジスタ、３０６…微調整レジスタ、３０７…ラダー抵抗、３０８〜３１３…セレクタ回路、３１４…アンプ回路、３１５…出力部ラダー抵抗、３１６…基準電圧、３１７…下側可変抵抗設定値、３１８…上側可変抵抗設定値、３１９…中間部下側可変抵抗設定値、３２０…中間部上側可変抵抗設定値、３２１…下側可変抵抗、３２２…上側可変抵抗、３２３…中間部下側可変抵抗、３２４…中間部上側可変抵抗、３２５…微調整レジスタ設定値、３２６〜３３１…抵抗分割回路。
【図１】
0004457143.tif 000002
【図２】
0004457143.tif 000003
【図３】
0004457143.tif 000004
【図４】
0004457143.tif 000005
【図５】
0004457143.tif 000006
【図６】
0004457143.tif 000007
【図７】
0004457143.tif 000008
【図８】
0004457143.tif 000009
【図９】
0004457143.tif 000010
【図１０】
0004457143.tif 000011
【図１１】
0004457143.tif 000012
【図１２】
0004457143.tif 000013
【図１３】
0004457143.tif 000014
【図１４】
0004457143.tif 000015
【図１５】
0004457143.tif 000016
【図１６】
0004457143.tif 000017
【図１７】
0004457143.tif 000018